(57)【要約】  本発明はディスプレイ（３）及びRFIDタグリーダのような一体化された通信装置（４）を有する電子装置（１）に関連する。通信装置（４）が対応装置（６）（通信装置との通信が行われることが意図される装置）と整合するように電子装置（１）の位置決めを促すために、電子装置（１）は、その電子装置（１）内の通信装置（４）が位置する場所を示す位置指標（５）をディスプレイ（３）に表示するよう構成される。
2007536665.tif 000002
【特許請求の範囲】
【請求項１】
ユーザに情報を表示するディスプレイ装置と一体化された通信装置とを有する電子装置であって、前記一体化された通信装置は、該一体化された通信装置から短距離の範疇に設けられている相補的通信装置と通信を行い、前記ディスプレイ装置は前記電子装置内の前記一体化された通信装置の場所を示す位置指標を表示するよう形成される
ことを特徴とする電子装置。
【請求項２】
前記位置指標が図形指標である
ことを特徴とする請求項１記載の電子装置。
【請求項３】
前記一体化された通信装置が、前記表示装置を眺めるユーザから見えるように前記ディスプレイ装置背後に設けられ、前記図形指標が前記一体化された通信装置の正面のディスプレイ装置における図形記号を有する
ことを特徴とする請求項２記載の電子装置。
【請求項４】
前記図形指標が第１及び第２ラインを有し、前記一体化された通信装置が前記第１及び第２ラインの延長線の交点に位置する
ことを特徴とする請求項２記載の電子装置。
【請求項５】
前記図形指標が当該電子装置の縮小画像を含み、該縮小画像は当該電子装置内の前記一体化された通信装置の位置を示す記号を含む
ことを特徴とする請求項２記載の電子装置。
【請求項６】
前記位置指標が、文字を含む
ことを特徴とする請求項１記載の電子装置。
【請求項７】
前記位置指標の表示をアクティブに及び／又は非アクティブにする入力手段を更に有する
ことを特徴とする請求項１乃至６の何れか１項に記載の電子装置。
【請求項８】
前記一体化された通信装置が、RFIDタグリーダを有する
ことを特徴とする請求項１乃至７の何れか１項に記載の電子装置。
【請求項９】
前記一体化された通信装置が、RFIDタグを有する
ことを特徴とする請求項１乃至７の何れか１項に記載の電子装置。
【請求項１０】
前記一体化された通信装置が、NFC装置を有する
ことを特徴とする請求項１乃至７の何れか１項に記載の電子装置。
【請求項１１】
少なくとも２つの一体化された通信装置を有し、前記ディスプレイ装置が、前記２つの通信装置各々について、前記電子装置内での前記通信装置の場所を示す位置指標を表示するよう形成される
ことを特徴とする請求項１乃至１０の何れか１項に記載の電子装置。
【請求項１２】
前記電子装置が、携帯用電子装置である
ことを特徴とする請求項１乃至１１の何れか１項に記載の電子装置。
【発明の詳細な説明】
【技術分野】
【０００１】
本発明は、ユーザに情報を表示するディスプレイ装置と一体化された通信装置とを有する電子装置に関連し、一体化された通信装置は該通信装置から短距離の範疇に設けられている相補的通信装置と通信を行うものである。
【背景技術】
【０００２】
ポータブルRFIDリーダを有するような装置が特許文献１に開示されている。RFIDリーダはRFIDタグから情報を集めるために利用可能である。そのような装置の１つの問題は、煩雑な試行錯誤なしに、信頼できる通信を簡易に確立するために何らかの経験的知識及びトレーニングを必要とすることである。
【特許文献１】国際公開第01/52179号パンフレット
【発明の開示】
【発明が解決しようとする課題】
【０００３】
本発明の課題は、冒頭に説明した種類の電子装置において信頼性のある改善された通信を行うことである。
【課題を解決するための手段】
【０００４】
この課題は請求項１に記載の電子装置を用いることで達成される。より具体的には、本発明は、ユーザに情報を表示するディスプレイ装置と一体化された通信装置とを有する電子装置であって、前記一体化された通信装置は、該一体化された通信装置から短距離の範疇に設けられている相補的通信装置と通信を行い、前記ディスプレイ装置は前記電子装置内の前記一体化された通信装置の場所を示す位置指標を表示するよう形成される電子装置に関連する。この指標は、通信の確立が意図される対応装置に該一体化通信装置をユーザが整合させることを可能にする。これは更に信頼性のある通信をもたらす。更に無線周波数の通信がなされるならば、その動作条件が最適化されるので、送信に僅かなエネルギしか必要とされない。またこのことは近辺の他の通信装置と意図されない通信の確立のおそれも減らす。
【０００５】
好ましくは位置指標は図形的な指標である。これは解釈に容易であって言語によらない情報をもたらす。
【発明を実施するための最良の形態】
【０００６】
好適実施例では、前記一体化された通信装置が、前記表示装置を眺めるユーザから見えるように前記ディスプレイ装置背後に設けられ、前記図形指標が前記一体化された通信装置の正面のディスプレイ装置における図形記号を有する。この例はPDAのような大きなディスプレイを有する電子装置に特に相応しい。
【０００７】
別の例では、前記図形指標は第１及び第２ラインを有し、前記一体化された通信装置が前記第１及び第２ラインの延長線の交点に位置する。これは、一体化通信装置がユーザから見えるディスプレイ背後に設けられていなかった場合でさえ、図形による位置指標を用意できる。
【０００８】
別の代替例では、前記図形指標は当該電子装置の縮小画像を含み、該縮小画像は当該電子装置内の前記一体化された通信装置の位置を示す記号を含む。これも、一体化通信装置がユーザから見えるディスプレイ背後に設けられていなかった場合でさえ、図形による位置指標を用意できる。
【０００９】
更に別の代替例では、前記位置指標は文字を含む。これはディスプレイが正確な図形指標を提供できない場合に特に相応しい。
【００１０】
好ましくは、電子装置は前記位置指標の表示をアクティブに及び／又は非アクティブにする入力手段を更に有する。
【００１１】
好適実施例では、前記一体化された通信装置はRFIDタグリーダを有する
別の例では、前記一体化された通信装置はRFIDタグを有する。
【００１２】
或いは、前記一体化された通信装置はNFC(Near  Field  Communication装置を有する。
【００１３】
別の例では、電子装置は少なくとも２つの一体化された通信装置を有し、前記ディスプレイ装置が、前記２つの通信装置各々について、前記電子装置内での前記通信装置の場所を示す位置指標を表示するよう形成される。
【００１４】
好適実施例では、前記電子装置は携帯用電子装置である。
【００１５】
本発明に関するこれらの及び他の形態は、以下に説明される実施例を参照することで明らかになるであろう。
【実施例１】
【００１６】
図１は本発明の一実施例による電子装置１の概略斜視図を示す。装置１はケーシング２と、そのケーシング２内にあるLCDディスプレイのようなディスプレイ３とを有し、情報の表示を可能にする、即ち画像形式のグラフィックス及び／又は文字（テキスト）をユーザに表示する。
【００１７】
本装置はケーシング２内に設けられ一体化された通信装置４を更に有する。通信装置は、例えば壁に組み込まれている近辺の別の対象物に取り付けられた相補的装置６との通信を自由に行われるように意図されている。これは電子装置１を相補的装置の近くに維持することで実行可能である。後述されるように、通信装置４は広範に及ぶユニット中の如何なるユニットで構成されてもよく、そのユニット全ては共通して最適な方法で機能するように相補的装置から例えば2-12センチメートルの範囲内のような近距離に維持される。かくて一体化された通信装置４は一般に短距離通信装置であり、例えば２メートル未満の近距離通信を行うのに適した装置である。
【００１８】
好適実施例では電子装置１内の通信装置４はRFタグリーダである。そのようなリーダは所定の周波数で電界を放射する。この電界はRFタグ形式の相補的装置を刺激し、タグ固有の情報を有する応答信号を発するようにする。この応答信号はRFIDタグリーダにより拾われる。
【００１９】
RFIDタグリーダは、読み取りプロセスの間RFIDタグから或る距離に維持されてもよく、その距離は例えばRFIDタグアンテナ及び使用される周波数に依存する。しかしながら低い送信電力が使用されるかもしれないのでRFIDタグリーダをRFIDタグに近づけて維持することが有利である。近くに維持することは、エネルギ消費量が少ないこと（例えばバッテリで動作する電子装置で有利である）及び他のRFIDタグ（ユーザが読み取りを意図するRFIDタグ近辺に位置する）をも意図せずに読み取ってしまうおそれを減らすことの双方をもたらす。かくて通信装置の動作を改善するには、通信装置４及びそれとの通信に意図される相補的装置６間の距離を減らすことが重要である。
【００２０】
通信装置４を相補的通信装置近辺にユーザが保持することを容易にするため、表示装置３が位置指標５を表示するように設けられ、位置指標は電子装置１内の通信装置４の場所（即ち、ケーシング２の中で通信装置４が位置する場所）を示す。そのような指標は電子装置１内の通信装置４を、別の対象物内に設けられた相補的装置６に、ユーザが正確に整合させることを可能にする。
【００２１】
通信装置４は例えば以下の内の何れかであってもよい：RFIDタグリーダ（相補的装置はRFIDタグになる）、RFIDタグ（相補的装置はRFIDタグリーダになる）、NFC(近接電磁界通信)装置（相補的装置は別のNFC装置、RFIDタグ又はRFIDタグリーダの何れかになる）等。NFC装置については、例えば以下の文献を参照されたい：
Standard  ECMA-340,December  2002,  “Near  Field  Communication-Interface  and  Protocol(NFCIP-1)”(ISO/IEC  18092)。
【００２２】
電子装置１に属する通信装置４からその電子装置１に属しない相補的通信装置６へ又はその逆向きに情報が伝送されるとすぐに通信が実行される。通信装置４がケーシング２に埋め込まれておらず、ケーシング２の外から可視的な場合でさえ、位置指標５による表示は通信装置４を整合させることを促すかもしれない。なぜなら通信が実行されようとした場合に通信装置４の見える側が別の対象物によって隠れてしまうかもしれないからである。
【００２３】
図２は本発明の一実施例による電子装置の正面図を示す。この例では電子装置１は平らな携帯装置であり、装置１の或る面のほとんどをカバーする大きなディスプレイ３を有し、例えばPDA（パーソナルディジタルアシスタント）と呼ばれる。装置１はディスプレイ３背後に隠れた通信装置４を有し、例えば小さな十字で図示されるような図形表示５の形式で通信装置４の正面で位置指標を表示するよう形成される。この指標５はユーザが通信装置を対応装置（例えば、壁に組み込まれたRFIDタグ等）に整合させることを促す。図示されているように、この壁にはマーキング７があってもよく、そのマーキングは例えば十字７の形式で図示されるように対応装置の位置を示す。
【００２４】
好ましくは電子装置１は、位置指標５の表示をアクティブにする及び／又は非アクティブにする例えばボタンのような入力手段を有する。ボタン１６を押すことで、位置指標がディスプレイに現れる。圧力検知ディスプレイが使用される場合には、この入力手段はディスプレイ３と一体化されてもよい。
【００２５】
図３は本発明の第１形態の例を示す。この場合、図２のディスプレイに比較して小さなディスプレイ３が利用可能であり、通信装置４はディスプレイ３を眺めるユーザから見えるディスプレイ３の背後には設けられていない。従ってこの例では第1ライン８及び第２ライン９を有する図形指標が使用される。（ケーシング２で隠れている）通信装置４は、第1及び第２ライン８，９の延長線上の交点に位置する。
【００２６】
図４は本発明の第２形態の例を示す。この例では指標は電子装置１の縮小画像１１で構成され、その画像はケーシング２内の通信装置４の場所を指す記号１２を有する。記号（シンボル）１２はいくつもの手法で描かれてもよく、例えば通信装置４が位置する領域を囲むリング形状及びそのリングを指す矢印で示されてもよい。
【００２７】
図５は本発明の第３形態の例を示す図である。この例では位置指標は文字１４「タグリーダは右上隅にあります。」で構成される。この例はディスプレイ３が正確な図式的位置指標を与えることができないような場合に好ましい。
【００２８】
図６は本発明の第４形態の例を示す。図１−５に示される例はPDA、移動電話、ウエアハウス(warehouse)端末等のような携帯装置に主に関連している。しかしながら据え置き式の用途に対応するものも考えられる。図６は大きな壁に取り付けられたLCDボード形式の電子装置１を示す。このボードは例えば広告用に使用されてもよい。
【００２９】
好適実施例では例えば装置１は通信装置４，１８の１より多くのインターフェース（例えばアンテナ）を有し、表示装置３は好ましくは通信装置４，１８のインターフェース各々につき１つの位置指標５，１９を同時に又は別の機会に表示するよう構成される。そしてユーザは相補的通信装置をボード中の何れかの通信装置４，１８に近づけて保持することで、例えば異なる品目を購入することのような異なる動作を実行することができる。当然に、そのような通信装置４，１８がボードに２つより多く用意されてもよい。一例では、多数の通信装置を含むアレイが用意されてもよい。
【００３０】
要するに、本発明はRFIDタグリーダのような一体化された通信装置及びディスプレイを有する電子装置に関連する。ある通信装置が通信するよう意図される対応装置と整合するように電子装置の位置決めを促すために、その電子装置は、電子装置内で通信装置が位置する場所を示す位置指標をディスプレイに表示するように形成される。
【００３１】
本発明は説明された例に限定されない。本発明は添付の特許請求の範囲内で別様に代替可能である。
【図面の簡単な説明】
【００３２】
【図１】本発明の一実施例による電子装置の概略斜視図を示す。
【図２】本発明の一実施例による電子装置の正面図を示す。
【図３】本発明の第１形態の例を示す図である。
【図４】本発明の第２形態の例を示す図である。
【図５】本発明の第３形態の例を示す図である。
【図６】本発明の第４形態の例を示す図である。
【図１】
2007536665.tif 000003
【図２】
2007536665.tif 000004
【図３】
2007536665.tif 000005
【図４】
2007536665.tif 000006
【図５】
2007536665.tif 000007
【図６】
2007536665.tif 000008
【国際調査報告】
2007536665.tif 000009
2007536665.tif 000010